(57)【要約】【課題】  長尺物の巻き取り作業、巻き取られた長尺物の束の結束等の仕上げ作業という一連の作業を効率良く行なうことが可能な長尺物巻き取り装置を提供する。【解決手段】  糸巻き取り装置１は、フレームに回転可能に支持された水平な回転軸体４と、回転軸体４の一端部に中心が固定された回転円盤３と、一端部が回転円盤３に回転可能に支持された、回転軸体４と平行な巻き取り部材２と、を備えている。巻き取り部材２は、１２０°の角度間隔で３つ設けられている。そして、最上部に位置する巻き取り部材２に糸４０を巻き取りながら、他の巻き取り部材２に巻き取られた糸条束を結束する等の仕上げ工程が行なわれる。【選択図】  図１
2015160738.tif 000002
【特許請求の範囲】
【請求項１】
供給される長尺物を巻き取る巻き取り部材を備えた長尺物巻き取り装置であって、
前記巻き取り部材は、互いに平行に複数設けられていることを特徴とする長尺物巻き取り装置。
【請求項２】
前記巻き取り部材は、回転することによって前記長尺物を巻き取り、かつ、前記長尺物を巻き取る際に両端が支持された状態となる、請求項１に記載の長尺物巻き取り装置。
【請求項３】
前記巻き取り部材の前記両端を支持する支持部材のいずれか一方は、前記巻き取り部材から離間可能である、請求項２に記載の長尺物巻き取り装置。
【請求項４】
前記巻き取り部材を、外周方向に拡大させ、かつ、軸心方向に縮小させる機構をさらに備えた、請求項３に記載の長尺物巻き取り装置。
【発明の詳細な説明】
【技術分野】
【０００１】
本発明は、供給される糸、フィルム、紙等の長尺物を巻き取る巻き取り部材を備えた長尺物巻き取り装置に関する。
【背景技術】
【０００２】
従来、この種の長尺物巻き取り装置としては、例えば、特許文献１に開示された構成のものが知られている。特許文献１に開示された長尺物巻き取り装置は、供給される糸をカセ巻きにして糸条束を製造する糸条束の製造装置であり、突出して並設された複数の糸条保持バーからなる巻き取り部材を備えている。そして、前記複数の糸条保持バーの外周を旋回運動するように配置された巻き付けガイドにより、供給される糸を前記複数の糸条保持バーにカセ状に巻き付けるようにされている。
【先行技術文献】
【特許文献】
【０００３】
【特許文献１】特開２００２−１４５５２６号公報
【発明の概要】
【発明が解決しようとする課題】
【０００４】
しかし、特許文献１に開示された長尺物巻き取り装置では、糸等の長尺物を巻き取る巻き取り部材が１つであるため、当該巻き取り部材に長尺物が巻き取られた後でなければ、作業者は巻き取り部材に巻き取られた長尺物の束を結束する等の仕上げ工程に移ることができない。そのため、その間、作業者は遊んだ状態となり、作業効率が悪いという問題点がある。
【０００５】
本発明は、従来技術における前記課題を解決するためになされたものであり、長尺物の巻き取り作業、巻き取られた長尺物の束の結束等の仕上げ作業という一連の作業を効率良く行なうことが可能な長尺物巻き取り装置を提供することを目的とする。
【課題を解決するための手段】
【０００６】
前記目的を達成するため、本発明に係る長尺物巻き取り装置の構成は、
（１）供給される長尺物を巻き取る巻き取り部材を備えた長尺物巻き取り装置であって、
前記巻き取り部材は、互いに平行に複数設けられていることを特徴とする。
【０００７】
本発明において、巻き取り部材は、自身が回転することによって長尺物を巻き取る構成のものであってもよく、当該巻き取り部材の外周を旋回運動するように配置された巻き付けガイドによって長尺物を巻き取る構成のものであってもよい。
【０００８】
本発明の長尺物巻き取り装置の上記（１）の構成によれば、１つの巻き取り部材に長尺物を巻き取る巻き取り工程を行なっている間に、他の巻き取り部材に巻き取られた長尺物の束を結束する等の仕上げ工程を行なうことができる。従って、本発明の長尺物巻き取り装置の上記（１）の構成によれば、複数の仕上げ済みの長尺物の束の製造を、作業者が遊んだ状態となることなく、連続して行なうことができる。その結果、長尺物の巻き取り作業、巻き取られた長尺物の束の結束等の仕上げ作業という一連の作業を効率良く行なうことが可能となる。
【０００９】
本発明の長尺物巻き取り装置の上記（１）の構成においては、以下の（２）〜（４）のような構成にすることが好ましい。
【００１０】
（２）前記巻き取り部材は、回転することによって前記長尺物を巻き取り、かつ、前記長尺物を巻き取る際に両端が支持された状態となる。
【００１１】
上記（２）の好ましい構成によれば、巻き取り部材を安定して回転させることができるので、より速い回転速度で長尺物を巻き取ることが可能となる。その結果、長尺物の巻き取り作業の作業効率を向上させることができる。また、上記（２）の好ましい構成によれば、巻き取り部材を安定して回転させることができるので、巻き取られる長尺物の状態が乱れることを防止することが可能となり、当該巻き取られる長尺物の状態の安定化を図ることができる。
【００１２】
（３）上記（２）の好ましい構成において、前記巻き取り部材の前記両端を支持する支持部材のいずれか一方は、前記巻き取り部材から離間可能である。
【００１３】
上記（３）の好ましい構成によれば、巻き取り部材の両端を支持する支持部材のいずれか一方を、前記巻き取り部材から離間させることにより、前記巻き取り部材に巻き取られた長尺物の束を当該巻き取り部材から抜き取ることが可能となる。
【００１４】
（４）上記（３）の好ましい構成において、前記長尺物巻き取り装置は、前記巻き取り部材を、外周方向に拡大させ、かつ、軸心方向に縮小させる機構をさらに備えている。
【００１５】
上記（４）の好ましい構成によれば、巻き取り部材を外周方向に拡大させた状態で、当該巻き取り部材に長尺物をきれいに巻き取ることができる。そして、前記巻き取り部材を軸心方向に縮小させることにより、当該巻き取り部材に巻き取られた長尺物の束を、緩んだ状態にして簡単に抜き取ることができる。
【発明の効果】
【００１６】
本発明によれば、長尺物の巻き取り作業、巻き取られた長尺物の束の結束等の仕上げ作業という一連の作業を効率良く行なうことが可能な長尺物巻き取り装置を提供することができる。
【図面の簡単な説明】
【００１７】
【図１】本発明の一実施の形態における糸巻き取り装置を備えた糸巻き取り機の構成を示す側面図である。
【図２】本発明の一実施の形態における糸巻き取り装置の構成を示す正面図（図１の矢印Ａの方向から見た図）である。
【図３】図２のIII−III線断面図（糸巻き取り装置を構成する巻き取り部材が軸心方向に縮小した（すぼんだ）状態）である。
【図４】本発明の一実施の形態における糸巻き取り装置を構成する巻き取り部材が外周方向に拡大（拡張）した状態を示す断面図（図２のIII−III線断面に相当）である。
【図５】本発明の一実施の形態における糸巻き取り装置を構成する巻き取り部材の連結構造を示す正面図（（ａ）は巻き取り部材が軸心方向に縮小した状態、（ｂ）は巻き取り部材が外周方向に拡大した状態）である。
【図６】本発明の一実施の形態における糸巻き取り装置を構成する巻き取り部材のロック機構を示す正面図（（ａ）は巻き取り部材が軸心方向に縮小した状態、（ｂ）は巻き取り部材が外周方向に拡大した状態）である。
【図７】本発明の一実施の形態における糸巻き取り装置を構成する巻き取り部材を、外周方向に拡大した状態にロックする方法を示す部分正面図（（ａ）は巻き取り部材が軸心方向に縮小した状態、（ｂ）は巻き取り部材が外周方向に拡大した状態）である。
【図８】本発明の一実施の形態における糸巻き取り装置を構成する巻き取り部材を、軸心方向に縮小した状態にする方法を示す部分正面図（（ａ）は巻き取り部材が外周方向に拡大した状態、（ｂ）は巻き取り部材が軸心方向に縮小した状態）である。
【図９】本発明の一実施の形態における糸巻き取り装置の１つの巻き取り部材に糸を巻き取っている状態を示す正面図である。
【図１０】本発明の一実施の形態における糸巻き取り装置の１つの巻き取り部材に糸を巻き取りながら、他の巻き取り部材に巻き取られた糸条束を結束する等の仕上げ工程を行なっている状態を示す正面図である。
【発明を実施するための形態】
【００１８】
以下、好適な実施の形態を用いて本発明をさらに具体的に説明する。但し、下記の実施の形態は本発明を具現化した例に過ぎず、本発明はこれに限定されるものではない。
【００１９】
［糸巻き取り機の全体構成］
まず、本発明の一実施の形態における糸巻き取り装置を備えた糸巻き取り機の全体構成について、図１、図２を参照しながら説明する。
【００２０】
図１は、本発明の一実施の形態における糸巻き取り装置を備えた糸巻き取り機の構成を示す側面図、図２は、当該糸巻き取り装置の構成を示す正面図（図１の矢印Ａの方向から見た図）である。尚、図２においては、図示の都合上、巻き取り部材を簡略化して描いている。
【００２１】
図１に示すように、糸巻き取り機１００は、糸４０を供給する糸供給装置５０と、糸４０の巻き取りを行なう糸巻き取り装置１と、を備えている。ここで、糸供給装置５０には、糸４０が巻回された大型スプール５５が着脱可能に取り付けられ、当該大型スプール５５は、タイミングベルト５６を介してモータ５７によって回転駆動するようにされている。そして、糸供給装置５０は、大型スプール５５の回転駆動によって糸４０を供給する。
【００２２】
図１、図２に示すように、糸巻き取り装置１は、糸４０が巻き取られる巻き取り部材２を備えており、当該巻き取り部材２は、後述するモータ８によって回転駆動するようにされている。そして、糸巻き取り装置１は、糸供給装置５０から供給される糸４０を、巻き取り部材２の回転駆動によって当該巻き取り部材２に巻き取る。大型スプール５５及び巻き取り部材２を回転駆動させる各モータは、糸巻き取り機１００の操作パネル８０をタッチ操作することにより、同期して駆動するようにされている。
【００２３】
巻き取り部材２は、互いに平行に複数設けられている。このように、巻き取り部材２が互いに平行に複数設けられていることにより、例えば、１つの巻き取り部材２に糸４０を環状に巻き取る巻き取り工程（カセ巻き工程）を行なっている間に、他の巻き取り部材２に環状に巻き取られた糸条束２１（図１０参照）を結束する等の仕上げ工程を行なうことができる。従って、本実施の形態の糸巻き取り装置１の構成によれば、複数の仕上げ済みの糸条束２１の製造を、作業者が遊んだ状態となることなく、連続して行なうことができる。その結果、糸４０の巻き取り作業、巻き取られた糸条束２１の結束等の仕上げ作業という一連の作業を効率良く行なうことが可能となる。
【００２４】
具体的には、巻き取り部材２は、１２０°の角度間隔で水平に３つ設けられており、これら３つの巻き取り部材２は、一端部が回転円盤（支持部材）３に回転可能に支持されている。回転円盤３は、糸巻き取り装置１のフレームに回転可能に支持された、巻き取り部材２と平行な回転軸体４の一端部に固定されており、当該回転軸体４は、チエーンベルト５を介してモータ６によって回転駆動するようにされている。そして、回転円盤３を１２０°単位で回転させることにより、３つの巻き取り部材２を、順次、糸の巻き取り位置である最上部に位置させることができるようにされている。糸巻き取り装置１のフレームの上部には、ギア７を有するモータ８が設けられている。また、各巻き取り部材２の一端には、それぞれ、ギア９が固定されている。そして、最上部に位置させた巻き取り部材２のギア９を、モータ８のギア７に噛合させ、当該巻き取り部材２を、ギア７、９を介してモータ８によって回転駆動させることができるようにされている。尚、回転軸体４（回転円盤３）を回転駆動させるモータ６は、糸巻き取り機１００の操作パネル８０をタッチ操作することによって駆動するようにされている。
【００２５】
このように、巻き取り部材２を、１２０°の角度間隔で水平に３つ設け、当該３つの巻き取り部材２を、順次、最上部に位置させるようにしたことにより、例えば、前記最上部に位置する巻き取り部材２に糸４０を環状に巻き取る巻き取り工程（カセ巻き工程）を行なっている間の、他の巻き取り部材２を、仕上げ位置である作業者の腰の辺りに位置させることができる。このため、他の巻き取り部材２に環状に巻き取られた糸条束２１（図１０参照）を結束する等の仕上げ作業を無理なく行なうことができる。
【００２６】
図１に示すように、糸供給装置５０から供給された糸４０は、略水平に配置され３つのプーリ７０ａ、７０ｂ、７０ｃの順に掛けられる。プーリ７０ａは、糸供給装置５０の上方に配置され、２つのプーリ７０ｂ、７０ｃは近接して配置されており、当該２つのプーリ７０ｂ、７０ｃの下方には後述する別のプーリ７０ｄが配置されている。
【００２７】
糸巻き取り機１００は、テンション調整機構９５を備えている。テンション調整機構９５は、プーリ７０ｂ、７０ｃの下方に立設されたシャフト９６と、シャフト９６に摺動自在に設けられたスライダ９７と、スライダ９７に取り付けられたプーリ７０ｄと、上方に位置するプーリ８５に掛けられた紐８６を介してスライダ９７に連結された錘（図示せず）と、により構成されている。
【００２８】
大型スプール５５に巻回された糸４０は、プーリ７０ａ、７０ｂ、７０ｄ及び７０ｃにこの順番で掛けられた後、最上部に位置する巻き取り部材２に係止される。そして、糸巻き取り機１００の操作パネル８０（図２参照）をタッチ操作することにより、大型スプール５５及び最上部に位置する巻き取り部材２が同期して回転駆動し、大型スプール５５に巻回された糸４０が巻き取り部材２に巻き取られる。巻き取り部材２の回転数が予め設定された数値に達すると、大型スプール５５及び最上部に位置する巻き取り部材２を回転駆動させる各モータが自動的に停止して、巻き取り部材２への糸４０の巻き取りが終了する。巻き取り部材２に巻き取られた糸４０は、当該巻き取り部材２の近傍でカットされ、結束等の仕上げ作業が行なわれた後、巻き取り部材２から取り外される。
【００２９】
本実施の形態の糸巻き取り装置１を備えた糸巻き取り機１００の構成によれば、上記のようなテンション調整機構９５を備えていることにより、糸巻き取り時の、大型スプール５５と巻き取り部材２との間の糸４０を常に一定のテンションに保つことができるので、巻き取り部材２に巻き取られる糸４０が緩んでしまうことを防止することができる。
【００３０】
図１、図２に示すように、テンション調整機構９５と糸巻き取り装置１の巻き取り部材２との間には、２つのプーリ７０ｆ、７０ｇがこの順番で配置されている。テンション調整機構９５を経由して供給される糸４０は、プーリ７０ｆ、７０ｇにこの順番で掛けられた後、最上部に位置する巻き取り部材２に係止される。２つのプーリ７０ｆ、７０ｇは、巻き取り部材２の回転軸線に平行な方向（例えば、水平方向）に往復移動する往復移動部材１０に取り付けられており、これにより、テンション調整機構９５を経由して供給される糸４０を、所定の幅で往復させて、巻き取り部材２に均一に巻き取ることができるようにされている。尚、往復移動部材１０は、糸巻き取り機１００の操作パネル８０をタッチ操作することによって動作を開始し、巻き取り部材２の回転数が予め設定された数値に達すると、自動的に停止するようにされている。
【００３１】
糸供給装置５０には、例えば、５つの大型スプール５５を取り付けることができるようにされており、これに対応して、モータ５７、テンション調整機構９５、プーリ７０ｆ、７０ｇが取り付けられた往復移動部材１０等も５組設けられている。すなわち、本実施の形態の糸巻き取り装置１においては、１つの巻き取り部材２の５箇所に糸４０を巻き取ることができるようにされている。
【００３２】
尚、５つの往復移動部材１０は、糸供給装置５０に面する角度をそれぞれ個別に調整可能に構成してもよい。これにより、例えば、大型スプール５５の幅が広いために糸供給装置５０の幅が、巻き取り部材２の幅より広くなってしまう場合でも、糸供給装置５０側のプーリ７０ｃと、糸巻き取り装置１側のプーリ７０ｆ及び７０ｇとの向きを揃えることができるので、糸４０が捩れるのを防止できる。
【００３３】
［糸巻き取り装置の構成］
次に、本発明の一実施の形態における糸巻き取り装置の具体的構成について、図３〜図８をも参照しながら説明する。
【００３４】
図３は、図２のIII−III線断面図（糸巻き取り装置を構成する巻き取り部材が軸心方向に縮小した（すぼんだ）状態）、図４は、本発明の一実施の形態における糸巻き取り装置を構成する巻き取り部材が外周方向に拡大（拡張）した状態を示す断面図（図２のIII−III線断面に相当）、図５は、当該糸巻き取り装置を構成する巻き取り部材の連結構造を示す正面図（（ａ）は巻き取り部材が軸心方向に縮小した状態、（ｂ）は巻き取り部材が外周方向に拡大した状態）、図６は、当該糸巻き取り装置を構成する巻き取り部材のロック機構を示す正面図（（ａ）は巻き取り部材が軸心方向に縮小した状態、（ｂ）は巻き取り部材が外周方向に拡大した状態）、図７は、当該糸巻き取り装置を構成する巻き取り部材を、外周方向に拡大した状態にロックする方法を示す部分正面図（（ａ）は巻き取り部材が軸心方向に縮小した状態、（ｂ）は巻き取り部材が外周方向に拡大した状態）、図８は、当該糸巻き取り装置を構成する巻き取り部材を、軸心方向に縮小した状態にする方法を示す部分正面図（（ａ）は巻き取り部材が外周方向に拡大した状態、（ｂ）は巻き取り部材が軸心方向に縮小した状態）である。
【００３５】
図１〜図４に示すように、糸巻き取り装置１は、当該糸巻き取り装置１のフレームに回転可能に支持された水平な回転軸体４と、回転軸体４の一端部に中心が固定された回転円盤３と、一端部が回転円盤３に回転可能に支持された、回転軸体４と平行な巻き取り部材２と、を備えている。巻き取り部材２は、一端部が回転円盤（支持部材）３に回転可能に支持された中心軸体１１と、それぞれ中心軸体１１にリンク機構を介して３箇所で連結された６本の糸条保持バー１２と、を備えている。ここで、リンク機構は、一端が中心軸体１１に回動自在に連結され、他端が糸条保持バー１２に回動自在に連結されたアーム１３からなっている。中心軸体１１の他端部には、軸方向に摺動可能な有底円筒状の摺動体１４が設けられており、当該摺動体１４には、前記リンク機構を構成するアーム１３の一端が連結されている。また、摺動体１４は、図示しないコイルばねによって中心軸体１１の軸方向外方に付勢されている。さらに、最上部に位置する巻き取り部材２の中心軸体１１の他端側の外方には、左右にスライド可能な支持部材１５が配置されている（図２の両矢印Ｂ参照）。すなわち、支持部材１５は、巻き取り部材２の中心軸体１１の他端（摺動体１４の端面）から離間可能であり、巻き取り部材２に糸４０を巻き取る際には、中心軸体１１の他端（摺動体１４の端面）が支持部材１５によって支持された状態となる（図２の二点鎖線参照）。ここで、支持部材１５の先端は円錐形状に形成され、摺動体１４の端面の中心には、支持部材１５の先端と合致する円錐形状の孔が形成されている。尚、支持部材１５は、糸巻き取り機１００の操作パネル８０をタッチ操作することによって左右にスライドさせることができるようにされている。
【００３６】
このように、巻き取り部材２は、糸４０を巻き取る際に両端が支持部材１５と回転円盤（支持部材）３とによって支持された状態となる。このため、巻き取り部材２を安定して回転させることができるので、より速い回転速度で糸４０を巻き取ることが可能となる。その結果、糸４０の巻き取り作業の作業効率を向上させることができる。また、このように、巻き取り部材２を安定して回転させることができるので、巻き取られる糸４０の状態が乱れることを防止することが可能となり、当該巻き取られる糸４０の状態の安定化を図ることができる。さらに、支持部材１５は、巻き取り部材２の中心軸体１１の他端（摺動体１４の端面）から離間可能であるため、支持部材１５を、巻き取り部材２の中心軸体１１の他端（摺動体１４の端面）から離間させることにより、例えば、巻き取り部材２に環状に巻き取られた糸条束２１（図１０参照）を当該巻き取り部材２から抜き取ることが可能となる。
【００３７】
また、巻き取り部材２の上記構成によれば、巻き取り部材２が軸心方向に縮小した状態（図３、図５（ａ）参照；中心軸体１１の中心軸線と糸条保持バー１２の外周面との距離はｄ）で、支持部材１５を右方向にスライドさせることにより、摺動体１４を付勢力に抗して右方向に距離Ｌだけ摺動させることができる。そして、これにより、リンク機構を構成するアーム１３を起立させて、６本の糸条保持バー１２を外側方に移動させることができる（図４、図５（ｂ）参照；中心軸体１１の中心軸線と糸条保持バー１２の外周面との距離はＤ（＞ｄ））。このように、本実施の形態の糸巻き取り装置１においては、支持部材１５を右方向にスライドさせることにより、当該支持部材１５によって中心軸体１１の他端（摺動体１４の端面）を回転可能に支持すると共に、巻き取り部材２を外周方向に拡大させることができる。
【００３８】
図６に示すように、摺動体１４の周面には、一対の凸部１６が設けられており、当該一対の凸部１６には、それぞれ、係止棒１７の基端が固定されている。係止棒１７の先端には、略円錐台形状の係止体１７ａが固定されている。また、中心軸体１１の一端部には、係止体１７ａの近傍に位置して環状の被係止体１８が固定されている。そして、支持部材１５を右方向にスライドさせることにより、摺動体１４を付勢力に抗して右方向に距離Ｌだけ摺動させて、係止体１７ａを被係止体１８に係止させることができるようにされている（図７参照）。これにより、巻き取り部材２を外周方向に拡大させた状態にロックすることができる。この場合、係止体１７ａは、その周面が被係止体１８のエッジに当接しながら前進し、被係止体１８を乗り越えて当該被係止体１８に係止される。ここで、一対の係止棒１７は、係止体１７ａの近傍で、中心軸体１１を挟む一対のコイルばね１７ｂによって連結されており、これにより、係止体１７ａと被係止体１８との係止状態が容易には解除されることがないようにされている。そして、このように係止体１７ａが被係止体１８に係止された状態においては、支持部材１５を、中心軸体１１の他端（摺動体１４の端面）から離間させても、巻き取り部材２は外周方向に拡大された状態のまま保持される。
【００３９】
中心軸体１１の一端部には、被係止部材１８の右側に位置して円筒状の摺動体１９が設けられており、当該摺動体１９は、リンク機構２０によって左右に摺動することができるようにされている。そして、図８に示すように、摺動体１９のエッジを係止体１７ａの周面に当接させながら、当該摺動体１９を左方向に摺動させることにより（図８（ａ）の矢印Ｃ参照）、係止体１７ａが被係止体１８を乗り越えて、係止体１７ａと被係止体１８との係止状態が解除される。これにより、摺動体１４を付勢力によって左方向に距離Ｌだけ摺動させ、リンク機構を構成するアーム１３を介して６本の糸条保持バー１２を内側方に移動させることができる（図３、図６（ａ）参照；中心軸体１１の中心軸線と糸条保持バー１２の外周面との距離はｄ（＜Ｄ））。このように、本実施の形態の糸巻き取り装置１においては、摺動体１９を左方向に摺動させることにより、巻き取り部材２を軸心方向に縮小させることができる。尚、リンク機構２０は、糸巻き取り機１００の操作パネル８０をタッチ操作することによって作動して、摺動体１９を左右に摺動させることができるようにされている。
【００４０】
以上のように、本実施の形態の糸巻き取り装置１は、巻き取り部材２を、外周方向に拡大させ、かつ、軸心方向に縮小させる機構を備えている。そして、この構成によれば、例えば、巻き取り部材２を外周方向に拡大させた状態で、当該巻き取り部材２に糸４０を環状にきれいに巻き取ることができる。そして、巻き取り部材２を軸心方向に縮小させることにより、当該巻き取り部材２に巻き取られた糸条束２１（図１０参照）を、緩んだ状態にして簡単に抜き取ることができる。
【００４１】
［仕上げ済みの糸条束の製造方法］
次に、本実施の形態の糸巻き取り装置１を備えた糸巻き取り機１００を用いて、連続的に「仕上げ済みの糸条束」を製造する方法について、図９、図１０をも参照しながら説明する。ここで、「仕上げ済みの糸条束」とは、巻き取り部材に環状に巻き取られ、かつ、結束等の仕上げ作業が行なわれた糸条束のことである。
【００４２】
図９は、本発明の一実施の形態における糸巻き取り装置の１つの巻き取り部材に糸を巻き取っている状態を示す正面図、図１０は、当該糸巻き取り装置の１つの巻き取り部材に糸を巻き取りながら、他の巻き取り部材に巻き取られた糸条束を結束する等の仕上げ工程を行なっている状態を示す正面図である。尚、実際には、１つの巻き取り部材２の５箇所に糸４０を巻き取ることができるようにされているが、図９、図１０においては、図示の都合上、１つの巻き取り部材２の２箇所に糸４０を巻き取っている状態を描いている。
【００４３】
まず、図２、図５、図６に示すように、糸巻き取り機１００の操作パネル８０をタッチ操作することによって支持部材１５を右方向にスライドさせることにより、最上部に位置する巻き取り部材２の両端を支持部材１５と回転円盤（支持部材）３とによって支持すると共に、係止体１７ａを被係止体１８に係止させて（図７参照）、前記最上部に位置する巻き取り部材２を、外周方向に拡大させる（図４、図５（ｂ）、図６（ｂ）参照）。そして、図１に示すように、大型スプール５５に巻回された糸４０の先端を、前記最上部に位置する巻き取り部材２に係止させた後、糸巻き取り機１００の操作パネル８０をタッチ操作する。これにより、大型スプール５５及び前記最上部に位置する巻き取り部材２が同期して回転駆動し、大型スプール５５に巻回された糸４０が前記最上部に位置する巻き取り部材２に環状に巻き取られる（カセ巻きされる）（図９参照）。前記最上部に位置する巻き取り部材２に巻き取られた糸４０が所定の長さに達すると、大型スプール５５及び前記最上部に位置する巻き取り部材２を回転駆動させる各モータが自動的に停止して、前記最上部に位置する巻き取り部材２への糸４０の巻き取りが終了する。前記最上部に位置する巻き取り部材２への糸４０の巻き取りが終了したら、前記最上部に位置する巻き取り部材２に巻き取られた糸４０を、当該巻き取り部材２の近傍でカットする。
【００４４】
次いで、糸巻き取り機１００の操作パネル８０をタッチ操作することによって支持部材１５を左方向にスライドさせる。次いで、図１、図２に示すように、回転軸体４を、チエーンベルト５を介してモータ６によって回転駆動し、回転円盤３を１２０°回転させて、次の巻き取り部材２を最上部に位置させる。そして、このようにして最上部に位置させた巻き取り部材２に、上記と同様にして、糸４０を巻き取る（図１０参照）。この場合、図１０に示すように、この巻き取り部材２に糸４０を巻き取る巻き取り工程を行なっている間に、前工程で巻き取り部材２に巻き取られた糸条束２１を紐２１ａ等で結束する等の仕上げ工程を行なう。
【００４５】
次いで、糸巻き取り機１００の操作パネル８０をタッチ操作することによって摺動体１９を左方向に摺動させることにより、係止体１７ａと被係止体１８との係止状態を解除して（図８参照）、前記最上部に位置する巻き取り部材２を、軸心方向に縮小させる（図３、図５（ａ）、図６（ａ）参照）。そして、仕上げ工程を行なった糸条束２１を、巻き取り部材２の他端から抜き取る。
【００４６】
以下、同様の工程を繰り返して、複数の仕上げ済みの糸条束２１を製造する。
【００４７】
以上説明した仕上げ済みの糸条束の製造方法によれば、１つの巻き取り部材２に糸４０を環状に巻き取る巻き取り工程（カセ巻き工程）を行なっている間に、他の巻き取り部材２に環状に巻き取られた糸条束２１を結束する等の仕上げ工程を行なうようにしているので、複数の仕上げ済みの糸条束２１の製造を、作業者が遊んだ状態となることなく、連続して行なうことができる。その結果、糸４０の巻き取り作業、巻き取られた糸条束２１の結束等の仕上げ作業という一連の作業を効率良く行なうことが可能となる。
【００４８】
尚、上記実施の形態においては、複数の巻き取り部材２は、巻き取り部材２と平行な回転軸を中心に回転することで、ある巻き取り部材２を糸の巻き取り位置に配置させ、糸が巻かれた巻き取り部材２を仕上げ位置に配置しているが、本発明は必ずしもかかる構成に限定されるものではない。複数の巻き取り部材２は、例えば、水平方向や上下方向等の所定方向にスライド移動させて、ある巻き取り部材２を糸の巻き取り位置に配置させ、糸が巻かれた巻き取り部材２を仕上げ位置に配置する構成であってもよい。
【００４９】
また、自身が回転することによって糸４０を巻き取る巻き取り部材２を備えた糸巻き取り装置１を例に挙げて説明しているが、本発明は必ずしもかかる構成に限定されるものではない。例えば、巻き取り部材を固定し、当該巻き取り部材の外周を旋回運動するように配置された巻き付けガイドによって糸を巻き取る構成であってもよい。
【００５０】
また、上記実施の形態においては、大型スプール５５から供給される糸４０を、巻き取り部材２に巻き取る場合を例に挙げて説明しているが、本発明は必ずしもかかる構成に限定されるものではない。例えば、糸を製造する糸製造装置から供給される糸を、巻き取り部材２に巻き取る構成であってもよい。
【００５１】
また、上記実施の形態においては、複数本の糸条保持バー１２からなる巻き取り部材２に糸４０を環状に巻き取る場合（カセ巻き）を例に挙げて説明しているが、本発明は必ずしもかかる構成に限定されるものではない。巻き取り部材は、例えば、小型スプールであってもよく、１本の巻き取り棒からなるものであってもよい。
【００５２】
また、上記実施の形態においては、長尺物巻き取り装置が糸巻き取り装置１である場合を例に挙げて説明しているが、本発明は必ずしもかかる構成に限定されるものではない。本発明の長尺物巻き取り装置は、糸４０を巻き取る場合の他、例えば、フィルムや紙等を巻き取る場合にも用いることができる。
【産業上の利用可能性】
【００５３】
本発明によれば、長尺物の巻き取り作業、巻き取られた長尺物の束の結束等の仕上げ作業という一連の作業を効率良く行なうことが可能な長尺物巻き取り装置を提供することができる。従って、本発明の長尺物巻き取り装置は、仕上げ済みの長尺物の束を製造する場合のスピードアップを図る上で有用である。
【符号の説明】
【００５４】
１  糸巻き取り装置
２  巻き取り部材
３  回転円盤（支持部材）
４  回転軸体
５  チエーンベルト
６、８  モータ
７、９  ギア
１１  中心軸体
１２  糸条保持バー
１３  アーム
１４、１９  摺動体
１５  支持部材
１６  凸部
１７  係止棒
１７ａ  係止体
１７ｂ  コイルばね
１８  被係止体
２０  リンク機構
２１  糸条束
４０  糸
５０  糸供給装置
５５  大型スプール
【図１】
2015160738.tif 000003
【図２】
2015160738.tif 000004
【図３】
2015160738.tif 000005
【図４】
2015160738.tif 000006
【図５】
2015160738.tif 000007
【図６】
2015160738.tif 000008
【図７】
2015160738.tif 000009
【図８】
2015160738.tif 000010
【図９】
2015160738.tif 000011
【図１０】
2015160738.tif 000012